(57)【要約】【課題】  女性が履くハイヒールを模した外観を持ち、飲料等が収納されている缶のプルタブを容易かつ爪や爪に付けた装飾品等を傷めずに開けることができ、しかも携帯にも適しているプルタブオープナーを提供する。【解決手段】  足を載せて地面と接するソール部１と、このソール部１の後端であって足の踵を支持するとともにソール部１の後方を地面から離すヒール部２と、ソール部１の先端であって足の指を載せる指載部３と、指を上方から抑える指抑部４とを有するハイヒールを模した金属製のプルタブオープナーＡであって、指載部３および指抑部４は缶１０のプルタブ１１の指を掛けるリング１２の先端を挿通可能に対向位置している。【選択図】図３
0003205835.tif 000002
【実用新案登録請求の範囲】
【請求項１】
足を載せて地面と接するソール部（１）と、このソール部（１）の後端であって前記足の踵を支持するとともに前記ソール部（１）の後方を前記地面から離すヒール部（２）と、前記ソール部（１）の先端であって前記足の指を載せる指載部（３）と、前記指を上方から抑える指抑部（４）とを有するハイヒールを模した金属製のプルタブオープナー（Ａ）であって、飲料等が収納されている缶（１０）のプルタブ（１１）の指を掛けるリング（１２）の先端に前記指載部（３）または／および前記指抑部（４）を係止して前記ヒール部（２）を引き上げることにより前記プルタブ（１１）を引き起こし可能とするべく前記指載部（３）および前記指抑部（４）は前記リング（１２）を挿通可能に対向位置していることを特徴とするプルタブオープナー（Ａ）。
【請求項２】
ネックレス等の紐状部材を挿通可能とする前記ソール部（１）の後端上方であって前記足の踝を抑える足止部を模したネックベルト部（５）を有することを特徴とする請求項１に記載したプルタブオープナー（Ａ）。
【考案の詳細な説明】
【技術分野】
【０００１】  本考案は、女性が履くハイヒールを模した外観を持ち、飲料等が収納されている缶のプルタブを容易かつ爪や爪に付けた装飾品等を傷めずに開けることができるプルタブオープナーに関するものである。
【背景技術】
【０００２】  飲料等が収納されている缶のプルタブを指で直接摘まんで引き上げる操作は、ある程度の力やコツを要することから、子供や年配者や女性等の非力な者にとっては煩わしい作業である。【０００３】  このため、プルタブのリングに引っかけて操作することにより、プルタブを上方へ引き上げて飲料可能とするプルタブオープナーが知られている（例えば、特許文献１〜５参照。）。
【先行技術文献】
【特許文献】
【０００４】
【特許文献１】  特開平８−４８３９２号公報
【特許文献２】  特開２００３−８１３９０号公報
【特許文献３】  特開２０１１−１１１２３３号公報
【特許文献４】  特開２０１３−１８９２４２号公報
【特許文献５】  特開２０１３−２３３９９２号公報
【考案の概要】
【考案が解決しようとする課題】
【０００５】  斯かる先行技術文献に記載のプルタブオープナーは、飲料等が収納されている缶のプルタブの先端のリングを指で直接摘まんで引き上げる操作をしなくて済むことから、子供や年配者や女性等の非力な者にとって便利であるものの、プルタブオープナーとしての機能しか有さないことから、家庭や飲食店等の屋内での使用を意図している。【０００６】  もちろん、ポケットやバッグ等の収納部材に入れての携帯は可能であるが、使用時の取り出す際に手間取ったり、小物であるがために紛失する危険性も考えられる。【０００７】  本考案は、このような従来の構成が有している問題を解決するものであり、飲料等が収納されている缶のプルタブを容易かつ爪や爪に付けた装飾品等を傷めずに開けることができ、しかも携帯にも適しているプルタブオープナーを実現することを目的とするものである。
【課題を解決するための手段】
【０００８】  本考案のプルタブオープナーは、前記目的を達成するために、足を載せて地面と接するソール部と、このソール部の後端であって前記足の踵を支持するとともに前記ソール部の後方を前記地面から離すヒール部と、前記ソール部の先端であって前記足の指を載せる指載部と、前記指を上方から抑える指抑部とを有するハイヒールを模した金属製のプルタブオープナーであって、飲料等が収納されている缶のプルタブの指を掛けるリングの先端に前記指載部または／および前記指抑部を係止して前記ヒール部を引き上げることにより前記プルタブを引き起こし可能とするべく前記指載部および前記指抑部は前記リングを挿通可能に対向位置しているものである。【０００９】  上記構成により、梃子の原理に従って操作することにより、プルタブオープナーを容易に引き上げられる。【００１０】  また、ネックレス等の紐状部材を挿通可能とする前記ソール部の後端上方であって前記足の踝を抑える足止部を模したネックベルト部を有するものである。【００１１】  上記構成により、ネックレスに装着するペンダントトップとしても使えることから、単なるプルタブオープナーに留まらず、使用時の取り出す際に手間取ったり、小物であるがために紛失する危険性も少ない。
【考案の効果】
【００１２】  上述したように本考案に係るプルタブオープナーは、子供や年配者や女性等の非力な者にとっても操作が容易であり、ハイヒールを模しているため単なるプルタブオープナーに留まらないデザイン性に優れるものであることから携帯にも違和感がなく、特に、若い女性との親和性が高くネックレス等に付けてペンダントトップ等のアクセサリーとしても利用可能になる効果を有するものである。
【図面の簡単な説明】
【００１３】
【図１】  本考案の実施形態を示す前方斜視図
【図２】  同上実施形態の後方斜視図
【図３】  同上実施形態の使用状態を説明する斜視図
【図４】  同上実施形態の使用状態を説明する斜視図
【考案を実施するための形態】
【００１４】  以下、本考案の実施形態を図１〜４に基づいて説明する。
【００１５】  図１，２において、プルタブオープナーＡは、足を載せて地面と接するソール部１と、ソール部１の後端であって前記足の踵を支持するとともにソール部１の後方を前記地面から離すヒール部２と、ソール部１の先端であって前記足の指を載せる指載部３と、前記指を上方から抑える指抑部４とを有するハイヒールを模した金属製である。
【００１６】  なお、後述する使用のために、指載部３および指抑部４は、後述するプルタブの先端の指で摘まむリングを挿通可能に対向位置しており、それらの対向部分が略平板状である。
【００１７】  また、ソール部１の後端上方には、図示しないネックレス等の紐状部材を挿通可能とするように前記足の踝あるいは甲に架け渡される足止部を模したリング状のネックベルト部５を有する。
【００１８】  このようなプルタブオープナーＡをステンレス（ＳＵＳ３０４）で製造した場合、長さ×幅×高さは、約５０×２０×３０ミリメートル、重量は、約１０グラムとなる。
【００１９】  次に、このプルタブオープナーＡの使用について説明する。
【００２０】  飲料等が収納されている缶１０のプルタブ１１のリング１２の先端をプルタブオープナーＡの指載部３と指抑部４の間に挿通し（図３参照）、指載部３または／および指抑部４を係止してヒール部２を引き上げることにより（図４参照）、プルタブ１１を梃子の原理を利用して引き起こし可能とする。
【００２１】  指載部３および指抑部４の対向部分が略平板状であることから、両部間にリング１２を差し込みやすく、しかもヒール部２が手で掴むのに好適な形状であることから、容易にプルタブ１１を引き上げることができる。
【００２２】  なお、指載部３の先端部分が指抑部４の前端から前方へ突出するとともに上方へ屈曲する形状に形成すれば、プルタブオープナーＡを缶１０の斜め上方からプルタブ１１へ装着する時、前記先端部分をリング１２と略平行状態にしてリング１２の下方へ挿入でき、すなわち、前記先端部分が案内役となって指載部３と指抑部４の間にリング１２を容易に挿通することができるため、使い勝手が向上する。
【００２３】  また、指で直接プルタブ１１のリング１２を引き上げる操作をしなくて済むため、爪や爪に付けた装飾品等を傷めずに開けることができる。
【００２４】  また、ネックレス等の紐状部材を挿通可能とするネックベルト部５を有することにより、ペンダントトップとしても使えることから、単なるプルタブオープナーに留まらず、使用時の取り出す際に手間取ったり、小物であるがために紛失する危険性も少ない。
【００２５】  上述したように、本考案に係るプルタブオープナーは、子供や年配者や女性等の非力な者にとっても操作が容易であり、ハイヒールを模しているため単なるプルタブオープナーに留まらないデザイン性に優れるものであることから携帯にも違和感がなく、特に、若い女性との親和性が高くネックレス等に付けてペンダントトップ等のアクセサリーとしても利用可能になり、従来にないファッション性が高い斬新なプルタブオープナーである。
【００２６】  なお、プルタブオープナーＡの一部または全体に、ビーズ、ラインストーン、スワロフスキー（登録商標）等の装飾品や好みの着色等の装飾を施すことにより、一層アクセサリーとしてのファッション性が高まるとともに使用者の独自なデザインにすることもできる。
【符号の説明】
【００２７】  Ａ  プルタブオープナー
１  ソール部
２  ヒール部
３  指載部
４  指抑部
５  ネックベルト部
１０  缶
１１  プルタブ
１２  リング
【図１】
0003205835.tif 000003
【図２】
0003205835.tif 000004
【図３】
0003205835.tif 000005
【図４】
0003205835.tif 000006